(57)【要約】【課題】  強度を向上させたカウルクロスメンバー支持装置を提供する。【解決手段】  本発明の実施形態によるカウルクロスメンバーを支持するカウルクロスメンバー支持装置は、トンネルの上面を形成するフロアパネル；前記トンネルの下面を形成し、前記フロアパネルを支持するように前記フロアパネルに装着されるマウンティングユニット；前記フロアパネルの上面を支持するようにフロアパネルに装着される強化部材；及び前記カウルクロスメンバーを支持するように前記強化部材及び前記フロアパネルに装着される支持ユニット；を含むことを特徴とする。【選択図】    図５
2006027609.tif 000002
【特許請求の範囲】
【請求項１】
カウルクロスメンバーを支持するカウルクロスメンバー支持装置において、
トンネルの上面を形成するフロアパネル；
前記トンネルの下面を形成し、前記フロアパネルを支持するように前記フロアパネルに装着されるマウンティングユニット；
前記フロアパネルの上面を支持するようにフロアパネルに装着される強化部材；及び
前記カウルクロスメンバーを支持するように前記強化部材及び前記フロアパネルに装着される支持ユニット；
を含むことを特徴とするカウルクロスメンバー支持装置。
【請求項２】
前記マウンティングユニットは、
前記トンネルの内面及び前記フロアパネルの下面を支持する上部ステイ；及び  
前記上部ステイの下面を支持する下部ステイ；
を含むことを特徴とする請求項１に記載のカウルクロスメンバー支持装置。
【請求項３】
前記支持ユニットは、
前記強化部材を支持するように前記強化部材の上面に装着される上部部材；及び、
前記カウルクロスメンバーを支持するように前記上部部材及び前記フロアパネルに装着される側面部材；
を含むことを特徴とする請求項１に記載のカウルクロスメンバー支持装置。
【発明の詳細な説明】
【技術分野】
【０００１】
本発明はカウルクロスメンバー支持装置に係り、より詳しくは、カウルクロスメンバーのアイドル（Ｉｄｌｅ）の振動を低減して運転者の乗り心地を向上させることができる、カウルクロスメンバー支持装置に関する。
【背景技術】
【０００２】
従来は、図１乃至図３に示すように、下部ステイ１にはフロアパネル２が上部ステイ３を通じて結合され、フロアパネル２の上面には強化部材４が結合される。
そして、強化部材４にはＬ字形のブラケット５が結合され、ブラケット５にはカウルクロスメンバー６の下端部６ａがボルトによって締結される。
しかし、このような従来構造は、カウルクロスメンバー６の前後方向の運動によって、アイドル時にステアリングコラム７の振動が発生して乗り心地が低下するという問題点があった。
【０００３】
また、従来は、カウルクロスメンバー６の下端部６ａがブラケット５にボルトによって締結され、フロアパネル２が上部ステイ３及び下部ステイ１と結合して形成するトンネル部の支持剛性が弱いという問題点があった。
さらに、ブラケット５及びフロアパネル２が堅固に結合されるようにセンターサポート６ｂの厚さを増大させなければならないので、製造原価が上昇するという問題点があった。
【特許文献１】特開平５−３３０４５４号公報
【発明の開示】
【発明が解決しようとする課題】
【０００４】
本発明は、このような従来の問題点を解決するためになされたものであって、強度を向上させたカウルクロスメンバー支持装置を提供することにその目的がある。
【課題を解決するための手段】
【０００５】
本発明の実施形態によるカウルクロスメンバーを支持するカウルクロスメンバー支持装置は、トンネルの上面を形成するフロアパネル；前記トンネルの下面を形成し、前記フロアパネルを支持するように前記フロアパネルに装着されるマウンティングユニット；前記フロアパネルの上面を支持するようにフロアパネルに装着される強化部材；及び前記カウルクロスメンバーを支持するように前記強化部材及び前記フロアパネルに装着される支持ユニット；を含むことを特徴とする。
【０００６】
前記マウンティングユニットは、前記トンネルの内面及び前記フロアパネルの下面を支持する上ステイ；及び前記上部ステイの下面を支持する下部ステイ；を含み、前記支持ユニットは、前記強化部材を支持するように前記強化部材の上面に装着される上部部材；及び前記カウルクロスメンバーを支持するように前記上部部材及び前記フロアパネルに装着される側面部材；を含むことを特徴とする。
【発明の効果】
【０００７】
本発明の実施形態によるカウルクロスメンバー支持装置によれば、フロアパネルに複数のマウンティングユニット及び支持ユニットを結合することによって、車両がアイドル状態にある場合に発生する振動がステアリングコラムに伝達されない。
さらに、フロアパネルに強化部材、上部部材、及び側面部材を結合することによって、カウルクロスメンバーをより堅固に支持することができる。
また、本発明の実施形態によるカウルクロスメンバー支持装置によれば、強化部材が厚くなくてもカウルクロスメンバーをしっかり支持することができるので、製造費用が減少する。
【発明を実施するための最良の形態】
【０００８】
以下、添付した図面に基づいて本発明の好ましい実施形態を説明する。
【実施例】
【０００９】
図４は本発明の実施形態によるカウルクロスメンバーが装着された状態を示す図面であり、図５は図４のＢ部分を示す拡大図であり、図６は図５のＶ−Ｖ線による断面図である。
図４に示す通り、本発明の実施形態によるカウルクロスメンバー支持装置は、カウルクロスメンバー６の下でカウルクロスメンバーを支持する。
図５及び図６に示すように、本発明の実施形態によるカウルクロスメンバーを支持するカウルクロスメンバー支持装置は、フロアパネル１２、マウンティングユニット３５、強化部材１４、及び支持ユニット４３を含む。
【００１０】
フロアパネル１２はトンネル４０の上面を形成し、マウンティングユニット３５はトンネル４０の下面を形成し、フロアパネル１２を支持するようにフロアパネル１２に装着される。
強化部材１４はフロアパネル１２の上面を支持するようにフロアパネル１２に装着され、支持ユニット４３はカウルクロスメンバー６を支持するように強化部材１４及びフロアパネル１２に装着される。
すなわち、フロアパネル１２がトンネル４０の上面を形成し、マウンティングユニット３５がトンネル４０の下面を形成する。また、マウンティングユニット３５はフロアパネル１２を支持する。
【００１１】
また、強化部材１４はトンネル４０の上面を形成するフロアパネル１２の上面に装着されることによって、フロアパネル１２を支持する。
したがって、強化部材１４はフロアパネル１２の強度を補強することができる。
マウンティングユニット３５は、上部ステイ１３及び下部ステイ１１を含む。
上部ステイ１３はトンネル４０の内面及びフロアパネル１２の下面を支持し、下部ステイ１１は上部ステイ１３の下面を支持する。
したがって、トンネル４０は、フロアパネル１２及びマウンティングユニット３５によって形成される。
【００１２】
フロアパネル１２にマウンティングユニット３５が結合されることによって、フロアパネル１２の支持力が強化される。
支持ユニット４３は、上部部材２０及び側面部材３０を含む。
図６に示す通り、上部部材２０は強化部材１４を支持するように強化部材１４の上面に装着され、側面部材３０はカウルクロスメンバー６を支持するように上部部材２０及びフロアパネル１２に装着される。
【００１３】
側面部材３０は、上端部４６、中端部４７、及び下端部４８を含む。
すなわち、トンネル４０の上面を形成するフロアパネル１２の上面に強化部材１４、上部部材２０、及び側面部材３０が順次に装着される。
本発明の実施形態によれば、強化部材１４、上部部材２０、及び側面部材３０が順次に装着されるので、車両がアイドル状態にある場合に車体で発生した振動がカウルクロスメンバー６を通じてステアリングコラム７に伝達されるのを防止することができる。
【００１４】
上部部材２０の幅は強化部材１４と近似の幅で形成され、側面部材３０の上端部４６にはカウルクロスメンバー６の下端部３１が結合される。
また、側面部材３０の中端部４７は上部部材２０と結合され、下端部４８はフロアパネル１２と結合される。
側面部材３０はカウルクロスメンバー６を支持するように上部部材２０及びフロアパネル１２に結合される。
さらに、側面部材３０が上部部材２０及びフロアパネル１２に同時に結合されることによって、フロアパネル１２及び上部部材２０の支持力が強化される。
【図面の簡単な説明】
【００１５】
【図１】従来の技術によるカウルクロスメンバーが装着された状態を示す図面である。
【図２】図１のＡ部分を示す拡大図である。
【図３】図２のＩＩ−ＩＩ線による断面図である。
【図４】本発明の実施形態によるカウルクロスメンバーが装着された状態を示す図面である。
【図５】図４のＢ部分を示す拡大図である。
【図６】図５のＶ−Ｖ線による断面図である。
【符号の説明】
【００１６】
１、１１  下部ステイ
２、１２  フロアパネル
３、１３  上部ステイ
４、１４  強化部材
５  ブラケット
６  カウルクロスメンバー
６ａ、３１  カウルクロスメンバーの下端部
６ｂ  センターサポート
７  ステアリングコラム
２０  上部部材
３０  側面部材
３５  マウンティングユニット
４０  トンネル
４３  支持ユニット
４６  側面部材の上端部
４７  側面部材の中端部
４８  側面部材の下端部
【図１】
2006027609.tif 000003
【図２】
2006027609.tif 000004
【図３】
2006027609.tif 000005
【図４】
2006027609.tif 000006
【図５】
2006027609.tif 000007
【図６】
2006027609.tif 000008